(57)【要約】      （修正有）【課題】特許書類の便利で正確なガイド補助ツールとして特許書類図面資料ガイド内容自動獲得表示設備を提供する。【解決手段】特許書類図面資料ガイド内容自動獲得表示設備１は、図面資料ガイド内容獲得装置２１、図面資料表示装置２２、ガイド内容表示装置２３、を含み、プロセッサによって、ガイド内容を自動的に獲得してガイド内容を表示する。【選択図】図１
2020068011.tif 000002
【特許請求の範囲】
【請求項１】
請求項内容、少なくとも１つの図面を有する図面内容、及び明細書内容を含む特許書類であり、図面或は請求項構造図面を含む図面資料であり、前記図面資料が含めるガイドターゲットに対応するガイド内容であり、ガイド内容がガイドターゲット請求項内容且つ／或はガイドターゲット明細書内容且つ／或はガイドターゲット図面内容を含む、プロセッサによって特許書類内容の図面資料から前記ガイド内容を自動的に獲得して前記ガイド内容を表示する特許書類図面資料ガイド内容自動獲得表示設備であって、
前記プロセッサによって、前記図面資料における前記ガイドターゲットに対応し、前記ガイドターゲット請求項内容且つ／或は前記ガイドターゲット明細書内容且つ／或は前記ガイドターゲット図面内容である前記ガイド内容を獲得する図面資料ガイド内容獲得装置、
前記プロセッサによって、前記図面資料が前記図面である際に、前記ガイドターゲットが図面要素符号且つ／或は前記図面要素符号に対応する図面対応要素名詞であり、前記図面資料が前記請求項構造図面である際に、前記ガイドターゲットが構成要素名詞且つ／或は接続関係且つ／或は構造図面要素符号である前記図面資料を、表示図面として前記表示図面及び前記図面資料が持つ前記ガイドターゲットを表示する図面資料表示装置、
前記プロセッサによって前記ガイドターゲットに対応し、前記ガイドターゲット請求項内容且つ／或は前記ガイドターゲット明細書内容且つ／或は前記ガイドターゲット図面内容である前記ガイド内容を表示し、前記図面資料ガイド内容獲得装置、及び、前記図面資料表示装置を接続するガイド内容表示装置、を含み、
前記ガイドターゲット請求項内容の獲得においては、前記図面資料が前記図面である際に、前記プロセッサによって、品詞分断ルール及び前記請求項内容の文字の品詞により前記請求項内容の請求項要素名詞を獲得し、明細書内容から前記請求項要素名詞に対応する明細書要素符号を獲得し、ガイドターゲットからガイドターゲット要素符号を獲得し、前記ガイドターゲット要素符号と前記明細書要素符号の間のガイドターゲット明細書要素符号対応関係を獲得し、ガイドターゲット明細書要素符号対応関係によって前記ガイドターゲット要素符号の前記請求項要素名詞に対する図面請求項対応関係を獲得し、前記ガイドターゲット請求項内容を獲得し、
前記ガイドターゲット請求項内容の獲得においては、前記図面資料が前記請求項構造図面である際に、前記プロセッサによって、前記請求項構造図面の前記ガイドターゲットにより前記請求項内容から対応する前記ガイドターゲット請求項内容を獲得し、
前記ガイドターゲット明細書内容の獲得においては、前記図面資料が前記図面である際に、前記プロセッサによって、前記ガイドターゲット要素符号と前記明細書要素符号の間の前記ガイドターゲット明細書要素符号対応関係により獲得し、
前記ガイドターゲット明細書内容の獲得においては、前記図面資料が前記請求項構造図面である際に、前記プロセッサによって、前記請求項構造図面の前記ガイドターゲットにより前記明細書内容から対応する前記ガイドターゲット明細書内容を獲得し、
前記ガイドターゲット図面内容の獲得においては、前記図面資料が前記請求項構造図面である際に、前記プロセッサによって、前記請求項構造図面の前記構造図面要素符号且つ／或は構成要素名詞に対応する前記明細書要素符号により、明細書内容から前記構造図面要素符号且つ／或は前記明細書要素符号に対応する対応図号を獲得し、前記対応図号で前記対応図号に対応する前記ガイドターゲット図面内容を獲得し、
前記ガイドターゲット符号内容の獲得においては、前記図面資料が前記図面である際に、前記プロセッサによって、前記図面の前記対応図号により前記対応図号の前記明細書内容にあるブロック位置が持つ前記明細書要素符号を前記ガイドターゲット要素符号として獲得することを特徴とする特許書類図面資料ガイド内容自動獲得表示設備。
【請求項２】
前記ガイド内容がマークで前記特許書類内容に表示されることを特徴とする請求項１に記載の特許書類図面資料ガイド内容自動獲得表示設備。
【請求項３】
前記図面資料が前記図面である際に、前記図面の前記図面要素符号且つ／或は前記図面要素符号に対応する前記請求項要素名詞を前記ガイドターゲットとして前記図面と同時に表示されることを特徴とする請求項１に記載の特許書類図面資料ガイド内容自動獲得表示設備。
【請求項４】
前記ガイド内容表示装置が、使用者が前記ガイドターゲットを選択して前記ガイドターゲットの前記ガイド内容が表示されるためのガイド内容選択インターフェースを提供するガイド内容選択サブ装置を有することを特徴とする請求項１に記載の特許書類図面資料ガイド内容自動獲得表示設備。
【請求項５】
前記ガイドターゲット明細書内容が、前記ガイドターゲットに対応されないブロックが表示されずに、前記ガイドターゲットに対応するブロックだけが表示されることを特徴とする請求項１に記載の特許書類図面資料ガイド内容自動獲得表示設備。
【請求項６】
前記図面資料が前記図面である際に、前記図面内容における図面が持つ前記請求項要素名詞の数により、前記図面を順番に表示されることを特徴とする請求項１に記載の特許書類図面資料ガイド内容自動獲得表示設備。
【請求項７】
前記図面資料及び前記ガイドターゲットに対応する前記ガイド内容が、１つの画面に同時に表示されることを特徴とする請求項１に記載の特許書類図面資料ガイド内容自動獲得表示設備。
【請求項８】
前記請求項内容における前記請求項要素名詞且つ／或は前記請求項内容における請求項接続関係を前記ガイドターゲットとする際に、前記ガイド内容表示装置が、前記ガイドターゲットに対応する前記ガイドターゲット図面内容且つ／或は前記ガイドターゲット明細書内容が表示されることを特徴とする請求項１に記載の特許書類図面資料ガイド内容自動獲得表示設備。
【発明の詳細な説明】
【技術分野】
【０００１】
本発明は、特許書類のガイド設備に関し、特に、特許書類図面資料ガイド内容自動獲得表示設備に関する。
【背景技術】
【０００２】
特許書類の閲読には、専門技術の理解及び精密な技術分析が含まれ、大量の人力や時間を必要とするが、しかしながら、現有の技術に特許書類の閲読の補助ツール、特に、特許書類の協力閲読のガイド装置が存在せず、特許閲覧者にとって、特許閲読の速度や正確度が向上できないことがある。
【０００３】
特許検索には、複数組のキーワードで数回にわたる検索の執行を行う必要がある。１組のキーワードの入力で検索してきた特許書類の数はいつも非常に膨大であり、特許閲覧者はそれらの検索されてきた膨大な特許書類を１つずつ閲読する必要がある。大半の特許閲覧者は、特許に対して方法なしに閲読し、特に、訓練されていない閲読者は非効率な方法で閲読する。例えば、特許内容の順序通りに閲読し、特許内容の間の関連性を迅速かつ精確に理解することができない。しかしながら、特許閲読の専門家にとって、特許内容の理解には、大量の時間をかけてその特許書類の図面内容における各図面の要素符号に示す定義、その定義と他の要素符号の間の関係を理解する必要があるので、その特許書類の明細書内容や請求項内容や他の図面を読み繰り返することが必要である。そんなに繰り返して読んでも、大量の時間がかかる上に、複雑な操作の細部のミス、例えば、違うページや集中力が途切れたがゆえの遺漏などが発生するので、錯誤の閲読になる場合がある。
【０００４】
１つずつ閲読する場合について、特許書類ごとに丁寧に閲読することも、或は、該当組のキーワードに対して意義あるかどうかを確認して該当組のキーワードには誤差現象が存在するかどうかを正確に判断することも、特許閲読者にとって、より有効な方法で特許の閲読を行う必要がある。特許閲読者は丁寧に１つの特許を閲読し、或は、迅速かつ簡単に１つの特許を閲読した後、キーワードの変更をして再度特許検索操作を行う必要があるかどうかを確認する必要がある。このような精力と時間を要する重複操作は、特許検索の専門家にとって、頭を痛めるものである。しかしながら、既存する技術における特許閲読には、特許書類のガイドを補助する装置がない。
【発明の概要】
【発明が解決しようとする課題】
【０００５】
このため、特許書類の便利で正確なガイド補助ツールを如何に提供するかが課題になる。
【０００６】
このため、本発明の目的は、特許書類図面資料ガイド内容自動獲得表示設備を提供することである。図４、５が示すように、本発明は、特許書類の図面資料に基づいてその図面資料（図面及び請求項構造図面を含む）に対して図面資料に対応するガイド内容を自動的に獲得し、その図面資料及び図面資料が持つ、例えば、要素符号や要素名詞であるガイドターゲットを表示し、特許閲覧者が同じページにその図面資料及びガイドターゲットを閲読した後、図面資料のガイドターゲットに対してそのガイドターゲットを選択することで、ガイドターゲットに対応するガイド内容を前記図面資料と同ページ又は異なるページで表示させる。このような方法は特許を閲読する最も効率的な方法であり、特許閲覧者に特許閲読で迅速かつ効率的に正確な特許閲読が提供できる。
【課題を解決するための手段】
【０００７】
本発明が従来の技術の問題を解決するための技術手段は、請求項内容、少なくとも１つの図面を有する図面内容、及び明細書内容を含む特許書類であり、図面或は請求項構造図面を含む図面資料であり、前記図面資料が含めるガイドターゲットに対応するガイド内容であり、ガイド内容がガイドターゲット請求項内容且つ／或はガイドターゲット明細書内容且つ／或はガイドターゲット図面内容を含む、プロセッサによって特許書類内容の図面資料から自動的に前記ガイド内容を獲得して前記ガイド内容を表示する特許書類図面資料ガイド内容自動獲得表示設備であって、前記プロセッサによって、前記図面資料における前記ガイドターゲットに対応し、前記ガイドターゲット請求項内容且つ／或は前記ガイドターゲット明細書内容且つ／或は前記ガイドターゲット図面内容である前記ガイド内容を獲得する図面資料ガイド内容獲得装置、前記プロセッサによって、前記図面資料が前記図面である際に、前記ガイドターゲットが図面要素符号且つ／或は前記図面要素符号に対応する図面対応要素名詞であり、前記図面資料が前記請求項構造図面である際に、前記ガイドターゲットが構成要素名詞且つ／或は接続関係且つ／或は構造図面要素符号である前記図面資料を、表示図面として前記表示図面及び前記図面資料が持つ前記ガイドターゲットを表示する図面資料表示装置、前記プロセッサによって前記ガイドターゲットに対応し、前記ガイドターゲット請求項内容且つ／或は前記ガイドターゲット明細書内容且つ／或は前記ガイドターゲット図面内容である前記ガイド内容を表示し、前記図面資料ガイド内容獲得装置、及び、前記図面資料表示装置を接続するガイド内容表示装置、を含み、前記ガイドターゲット請求項内容の獲得においては、前記図面資料が前記図面である際に、前記プロセッサによって、品詞分断ルール及び前記請求項内容の文字の品詞により前記請求項内容の請求項要素名詞を獲得し、明細書内容から前記請求項要素名詞に対応する明細書要素符号を獲得し、ガイドターゲットからガイドターゲット要素符号を獲得し、前記ガイドターゲット要素符号と前記明細書要素符号の間のガイドターゲット明細書要素符号対応関係を獲得し、ガイドターゲット明細書要素符号対応関係によって前記ガイドターゲット要素符号の前記請求項要素名詞に対する図面請求項対応関係を獲得し、前記ガイドターゲット請求項内容を獲得し、前記ガイドターゲット請求項内容の獲得においては、前記図面資料が前記請求項構造図面である際に、前記プロセッサによって、前記請求項構造図面の前記ガイドターゲットにより前記請求項内容から対応する前記ガイドターゲット請求項内容を獲得し、前記ガイドターゲット明細書内容の獲得においては、前記図面資料が前記図面である際に、前記プロセッサによって、前記ガイドターゲット要素符号と前記明細書要素符号の間の前記ガイドターゲット明細書要素符号対応関係により獲得し、前記ガイドターゲット明細書内容の獲得においては、前記図面資料が前記請求項構造図面である際に、前記プロセッサによって、前記請求項構造図面の前記ガイドターゲットにより前記明細書内容から対応する前記ガイドターゲット明細書内容を獲得し、前記ガイドターゲット図面内容の獲得においては、前記図面資料が前記請求項構造図面である際に、前記プロセッサによって、前記請求項構造図面の前記構造図面要素符号且つ／或は構成要素名詞に対応する前記明細書要素符号により、明細書内容から前記構造図面要素符号且つ／或は前記明細書要素符号に対応する対応図号を獲得し、前記対応図号で前記対応図号に対応する前記ガイドターゲット図面内容を獲得し、前記ガイドターゲット符号内容の獲得においては、前記図面資料が前記図面である際に、前記プロセッサによって、前記図面の前記対応図号により前記対応図号の前記明細書内容にあるブロック位置が持つ前記明細書要素符号を前記ガイドターゲット要素符号として獲得することを特徴とする特許書類図面資料ガイド内容自動獲得表示設備を提供する。
【０００８】
本発明に係る１つの実施例は、前記ガイド内容がマークで前記特許書類内容に表示されることを特徴とする特許書類図面資料ガイド内容自動獲得表示設備を提供する。
【０００９】
本発明に係る１つの実施例は、前記図面資料が前記図面である際に、前記図面の前記図面要素符号且つ／或は前記図面要素符号に対応する前記請求項要素名詞を前記ガイドターゲットとして前記図面と同時に表示されることを特徴とする特許書類図面資料ガイド内容自動獲得表示設備を提供する。
【００１０】
本発明に係る１つの実施例は、前記ガイド内容表示装置が、使用者が前記ガイドターゲットを選択して前記ガイドターゲットの前記ガイド内容が表示されるためのガイド内容選択インターフェースを提供するガイド内容選択サブ装置を有することを特徴とする特許書類図面資料ガイド内容自動獲得表示設備を提供する。
【００１１】
本発明に係る１つの実施例は、前記ガイドターゲット明細書内容が、前記ガイドターゲットに対応されないブロックが表示されずに、前記ガイドターゲットに対応するブロックだけが表示されることを特徴とする特許書類図面資料ガイド内容自動獲得表示設備を提供する。
【００１２】
本発明に係る１つの実施例は、前記図面資料が前記図面である際に、前記図面内容における図面が持つ前記請求項要素名詞の数により、前記図面を順番に表示されることを特徴とする特許書類図面資料ガイド内容自動獲得表示設備を提供する。
【００１３】
本発明に係る１つの実施例は、前記図面資料及び前記ガイドターゲットに対応する前記ガイド内容が、１つの画面に同時に表示されることを特徴とする特許書類図面資料ガイド内容自動獲得表示設備を提供する。
【００１４】
本発明に係る１つの実施例は、前記請求項内容における前記請求項要素名詞且つ／或は前記請求項内容における請求項接続関係を前記ガイドターゲットとする際に、前記ガイド内容表示装置が、前記ガイドターゲットに対応する前記ガイドターゲット図面内容且つ／或は前記ガイドターゲット明細書内容が表示されることを特徴とする特許書類図面資料ガイド内容自動獲得表示設備を提供する。
【発明の効果】
【００１５】
本発明の特許書類図面資料ガイド内容自動獲得表示設備は以下の効果がある。本発明の特許書類図面資料ガイド内容自動獲得表示設備によって、特許閲覧者が、最も直覚の図面資料を閲読の基礎とすることで、系統性及び全体性の快速かつ正確な特許閲読を行い、一定な時間内より多い特許書類の内容を読むことができる。つまり、本発明は、特許書類の図面資料に基づいてその図面資料（図面及び請求項構造図面を含む）に対して図面資料に対応するガイド内容を自動的に獲得し、その図面資料及び図面資料が持つ、例えば、要素符号や要素名詞であるガイドターゲットを表示し、特許閲覧者が同じページにその図面資料及びガイドターゲットを閲読した後、図面資料のガイドターゲットに対してそのガイドターゲットを選択することで、ガイドターゲットに対応するガイド内容を前記図面資料と同ページ又は異なるページで表示させる。このような方法は最も効率がある特許を閲読する方法であり、特許閲覧者に特許閲読で快速かつ効率的で正確な特許閲読を提供できる。特許閲覧者は、本発明の直接で視覚化される図面資料を基礎とすることによって、図面情報に対応するガイド内容を読むことで、該当特許書類の実質の内容をすぐに理解し、正確に分析することができる。
【図面の簡単な説明】
【００１６】
【図１】は本発明に係る１つの実施例の特許書類図面資料ガイド内容自動獲得表示設備を示すブロック概略図である。
【図２】は本発明に係る１つの実施例の特許書類図面資料ガイド内容自動獲得表示設備が実際に執行中の相関資料内容及び各相関資料内容の関係を示す概要概略図である。
【図３】は本発明に係る１つの実施例の特許書類図面資料ガイド内容自動獲得表示設備の表示画面を示す概略図である。
【図４】は本発明に係る１つの実施例の特許書類図面資料ガイド内容自動獲得表示設備のもう１つの表示画面を示す概略図である。
【図５】は本発明に係る１つの実施例の特許書類図面資料ガイド内容自動獲得表示設備のもう１つの表示画面を示す概略図である。
【図６】は本発明に係る１つの実施例の特許書類図面資料ガイド内容自動獲得表示設備の品詞分断ルール表を示す概略図である。
【図７】は本発明に係る１つの実施例の特許書類図面資料ガイド内容自動獲得表示設備の請求項構造図面を示す概略図である。
【図８】は請求項内容を示す概略図である。
【発明を実施するための形態】
【００１７】
以下、図１〜８により、本発明を実施するための形態を説明する。その説明は本発明を限定するものではなく、本発明の一つの実施例に過ぎない。
【００１８】
図２に示すように、本発明に係る１つの実施例の特許書類図面資料ガイド内容自動獲得表示設備１が実際に執行中の相関資料内容及び各相関資料内容の関係を示す概要概略図である。
【００１９】
図３に示すように、１つの特許書類内容１１は、図面内容１１１、請求項内容１１２、及び明細書内容１１３を含む。各図面内容１１１は複数の図面１１１１からなる。
【００２０】
本発明は、前記特許書類内容１１の図面資料１２を基礎として特許書類内容１１のガイドを行う。ガイド基礎とする前記図面資料１２は前記図面１１１１（図４に示すように）且つ／或は請求項構造図面１０２（図５に示すように）である。
【００２１】
図面１１１１を前記図面資料１２とする図４において、１つの実施例には、最も多い請求項要素名詞１１２２を持つ図面１１１１が選択されて優先に表示される図面１１１１とされる。例えば、図３において、前記請求項内容１１２の前記請求項要素名詞１１２２が、「mounting platform」（要素符号１４）、「robot」（要素符号１１、１２）、「welding torch」（要素符号３３Ａ、３３Ｂ）、「rotatable fixture base」（要素符号１８）、及び「base indexer」（要素符号１９）、合計５つの前記請求項要素名詞を含む。故に、最も多い前記請求項要素名詞を持つ図面が表示される図面とされて、図面資料１２とされる。このため、前記図面１１１１（要素符号１１、１２、１４、１８、１９、３３Ａ、３３Ｂなど、前記請求項要素名詞１１２２に対応する要素符号を持つ）を選択して前記図面資料１２として表示する。且つ、前記図面１１１１における図面要素符号１０１２且つ／或は図面対応要素名詞１０１３を、前記図面１１１１と同時に１スクリーンに表示し、前記図面要素符号１０１２且つ／或は前記図面対応要素名詞１０１３を前記図面１１１１の下側に表示する（図４に示すように）。
【００２２】
詳しく申すと、図４に参照し、図面資料１２が前記図面１１１１である際に、本発明は前記図面１１１１を基礎として、前記図面１１１１における前記図面要素符号１０１２及び前記図面要素符号１０１２に対応する前記図面対応要素名詞１０１３を表示し、表示された前記図面１１１１に対応する前記図面要素符号１０１２且つ／或は前記図面要素符号に対応する前記図面対応要素名詞１０１３がガイドターゲット１２１とされて、使用者が前記図面要素符号１０１２且つ／或は前記図面要素符号１０１２に対応する前記図面対応要素名詞１０１３を選択することに供し、前記請求項内容１１２且つ／或は前記明細書内容１１３において前記請求項内容１１２且つ／或は前記明細書内容１１３に対応する対応内容を標示してガイド内容１３とする。前記請求項内容１１２において前記ガイドターゲット１２１に対応するガイド内容１３がガイドターゲット請求項内容１１２１であり、前記明細書内容１１３において前記ガイドターゲット１２１に対応するガイド内容１３がガイドターゲット明細書内容１１３１であり、前記図面内容１０１において前記ガイドターゲット１２１に対応するガイド内容１３がガイドターゲット図面内容１１４１である（図４に示されない）。
【００２３】
図２、５に参照し、前記図面資料１２が前記請求項構造図面１０２である際に、本発明は前記請求項構造図面１０２を基礎として、前記請求項構造図面１０２に対応する構成要素名詞１０２１且つ／或は接続関係１０２２且つ／或は構造図面要素符号１０２３である前記図面資料を表示し、表示された前記請求項構造図面１０２に対応する前記構成要素名詞１０２１且つ／或は前記接続関係１０２２且つ／或は前記構造図面要素符号１０２３が前記ガイドターゲット１２１として、使用者が前記構成要素名詞１０２１且つ／或は前記接続関係１０２２且つ／或は前記構造図面要素符号１０２３を選択することに供する。
【００２４】
図７に示すように、前記請求項構造図面１０２が予め作った構造図面であり、前記図面が図形化の方法で前記請求項内容１１２の要素名詞、要素符号及び接続関係を定義する。その自動獲得方法については、後述する。
【００２５】
前記請求項内容１１２且つ／或は前記明細書内容１１３且つ／或は前記図面内容において構成要素名詞１０２１且つ／或は接続関係１０２２且つ／或は構造図面要素符号１０２３に対応するガイド内容１３が標示され、前記請求項内容１１２において前記ガイドターゲット１２１に対応するガイド内容１３がガイドターゲット請求項内容１１２１であり、前記明細書内容１１３において前記ガイドターゲット１２１に対応するガイド内容１３がガイドターゲット明細書内容１１３１であり、前記図面内容１０１において前記ガイドターゲット１２１に対応するガイド内容１３がガイドターゲット図面内容１１４１である。
【００２６】
図４、５に示すように、本発明に係る１つの実施例の特許書類図面資料ガイド内容自動獲得表示設備１は、プロセッサによって特許書類内容１１の図面資料１２から前記ガイド内容を自動的に獲得して前記ガイド内容１３を表示する。前記特許書類内容１１が請求項内容１１２、図面内容１１１及び明細書内容１１３を含み、図面内容１１１が少なくとも１つの図面１１１１を有し、前記図面資料１２が図面１１１１且つ／或は請求項構造図面１０２であり、前記ガイド内容１３が前記図面資料１２の前記ガイドターゲット１２１に対応するガイドターゲット請求項内容１１２１且つ／或はガイドターゲット明細書内容１１３１且つ／或はガイドターゲット図面内容１１４１であり、前記図面１１１１の前記ガイドターゲット１２１が図面要素符号１０１２且つ／或は前記図面要素符号１０１２に対応する図面対応要素名詞１０１３であり、前記請求項構造図面１０２の前記ガイドターゲット１２１が構成要素名詞１０２１且つ／或は接続関係１０２２且つ／或は構造図面要素符号１０２３である。
【００２７】
図１に示すように、本発明の特許書類図面資料ガイド内容自動獲得表示設備１は、前記プロセッサによって、前記図面資料１２における前記ガイドターゲット１２１に対応し、前記ガイドターゲット請求項内容１１２１且つ／或は前記ガイドターゲット明細書内容１１３１且つ／或は前記ガイドターゲット図面内容１１４１である前記ガイド内容１３を獲得する図面資料ガイド内容獲得装置２１、前記プロセッサによって、前記図面資料１２を、表示図面として前記表示図面及び前記図面資料１２が持つ前記ガイドターゲット１２１を表示する図面資料表示装置２２、前記プロセッサによって、前記図面資料１２の前記ガイドターゲット１２１に対応し、前記ガイドターゲット請求項内容１１２１且つ／或は前記ガイドターゲット明細書内容１１３１且つ／或は前記ガイドターゲット図面内容１１４１である前記ガイド内容１３を表示し、前記図面資料ガイド内容獲得装置２１、及び、前記図面資料表示装置２２を接続するガイド内容表示装置２３、を含む。
【００２８】
本発明は、前記図面資料１２及び前記図面資料１２における前記ガイドターゲット１２１を１つのスクリーンに同時に表示することによって、特許閲覧者がその特許書類を視覚的で直覚的に閲読できることに供し、特許閲覧者が前記図面資料１２における前記ガイドターゲット１２１を理解でき、各ガイドターゲット１２１に対して各ガイドターゲット１２１に対応するガイド内容１３を読み取って視覚化図面資料の閲読で迅速かつ正確に特許書類を閲読する目的を達成する。
【００２９】
１つの実施例において、特許閲覧者が各ガイドターゲット１２１中の１つのガイドターゲット１２１をクリックして前記ガイドターゲット１２１に対応するガイド内容１３を読み取られるが、本発明はこれに限定されず、本発明は、特許閲覧者がガイドターゲット１２１をクリックしない情況で全ての前記ガイドターゲット１２１に対応するガイド内容１３を提供することができる。
【００３０】
前記ガイドターゲット請求項内容１１２１の獲得においては、前記図面資料１２が前記図面１１１１である際に、前記プロセッサによって、図６に示すような品詞分断ルール及び請求項内容１１２の文字の品詞（ｐａｒｔ  ｏｆ  ｓｐｅｅｃｈ）により前記請求項内容１２の請求項要素名詞１１２２を獲得し、明細書内容１１３から前記請求項要素名詞１１２２に対応する明細書要素符号１１３２を獲得し、ガイドターゲット１２１からガイドターゲット要素符号１２１１（前記図面１１１１において前記図面要素符号１０１２であり、前記請求項構造図面１０２において構造図面要素符号１０２３であり）を獲得し、前記ガイドターゲット要素符号１２１１と前記明細書要素符号１１３２の間のガイドターゲット明細書要素符号対応関係Ｒ１を獲得し、ガイドターゲット明細書要素符号対応関係Ｒ１によって前記ガイドターゲット要素符号１２１１の前記請求項要素名詞１１２２に対する図面請求項対応関係Ｒ２を獲得し、前記ガイドターゲット請求項内容１１２１を獲得する。
【００３１】
本発明は前記請求項内容１１２から前記請求項要素名詞１１２２を獲得するのは、文字の品詞（ｐａｒｔ  ｏｆ  ｓｐｅｅｃｈ）及び品詞分断ルール表（図６に示すように）によることである。その実施方法は以下のようなことである。
【００３２】
前記品詞分断ルール表が複数の品詞データ表を含み、前記複数の品詞データ表の間の分段ルールが図６に示される。前記複数の品詞データ表が、名詞接頭辞データ表、関係代名詞データ表、従属動詞データ表、分詞（Ｖｅｄ）データ表、分詞（Ｖｉｎｇ）データ表、接置詞データ表、及び文分断データ表を有し、前記名詞接頭辞データ表が「Ａ、ａ、Ａｎ、ａｎ、Ｔｈｅ、ｔｈｅ、Ｓａｉｄ、ｓａｉｄ、ａｔ  ｌｅａｓｔ＋数字……」を含み、前記関係代名詞データ表が「ｗｈｉｃｈ、ｗｈｏｓｅ、ｗｈｅｒｅ、ｗｈｅｒｅｉｎ、ｗｈｅｒｅ……」を含み、前記従属動詞データ表が「ｉｓ、ａｒｅ、ｗａｓ、ｗｅｒｅ……」を含み、前記分詞（Ｖｅｄ）データ表が「『ｐｒｏｖｉｄｅｄ』及び『ｅｄ』や『ｅｎ』が接尾辞である文字……」を含み（その所属集合が調整可能である）、前記分詞（Ｖｉｎｇ）データ表が「『ｐｒｏｖｉｄｉｎｇ』及び『ｉｎｇ』が接尾辞である文字……」を含み（その所属集合が調整可能である）、前記接置詞データ表が「ｗｉｔｈ、ｔｏ、ｉｎ、ｏｎ、ａｔ、ｏｖｅｒ、ａｂｏｖｅ、ｂｅｌｏｗ、ａｌｏｎｇ、ｔｈｒｏｕｇｈ、ｖｉａ、ｗｉｔｈｉｎ、ｏｎｔｏ……」を含み、前記文分断データ表が各句読点を含む。
【００３３】
図６において、前記請求項内容１１２の文字を１ずつに読み取る。図６において、名詞接頭辞データ表における「Ａ、ａ、Ａｎ、ａｎ、Ｔｈｅ、ｔｈｅ、Ｓａｉｄ、ｓａｉｄ、ａｔ  ｌｅａｓｔ＋数字……」を読み取ると、「○」符号である「名詞接頭辞」が標記される各列に入って判断を行い（ここで、全ての文字が「○」符号を有する）、文字を１ずつに読み取る。要素名詞の接頭辞（即ち、名詞接頭辞）を獲得した後、その要素名詞の接尾辞を探す。しかし、獲得する要素名詞の接尾辞に属するかどうかを判断するのは、以下２つの場合がある。
（１）文分断位置を直接に判断できる場合、例えば、前記品詞分断ルール表における項目符号１、２、３及び１２において、「●」の後に「○」がなく、その「●」の位置で文を直接に分断でき、その名詞接頭辞から「●」の位置までの文字を要素名詞とする。即ち、項目符号１、２及び３において、「名詞接頭辞」を獲得した後、「関係代名詞データ表」、「従属動詞データ表」や「接置詞データ表」を獲得すると、「関係代名詞データ表」、「従属動詞データ表」、「接置詞データ表」及び「文分断」で文分断位置（即ち、「●」で表示）とする。
（２）文分断可能位置を別に判断する必要がある場合、例えば、前記品詞分断ルール表における項目符号４、６〜１１において、「●」と同じ列においてその「●」の後に「○」を有し（例えば、項目符号４、６〜１１）、「●」が「文分断可能位置」を表示し、文分断を直ちに判断できず、その「●」の後に「○」を有する場合だけ、その文分断可能位置「●」が成立であることを判断でき、「○」を読み取っていないなら、読み取りの後に分断が行われない。例えば、項目符号４、６〜８において、「名詞接頭辞」を獲得した後、「分詞データ表」を獲得する時に、読み取りを続ける必要があり（前記分詞（Ｖｅｄ）データ表において、「●」が標示されるが、その「●」の後に「○」が標示される）、即ち、その「●」の後に、「分詞（Ｖｉｎｇ）データ表」、「接置詞データ表」、「名詞接頭辞データ表」、「関係代名詞データ表」や「分詞データ表（分詞（Ｖｅｄ）と分詞（Ｖｉｎｇ）を含む）」のところに「○」が標示され、それらの「分詞（Ｖｉｎｇ）データ表」、「接置詞データ表」、「名詞接頭辞データ表」、「関係代名詞データ表」や「分詞データ表（分詞（Ｖｅｄ）と分詞（Ｖｉｎｇ）を含む）」を読み取った場合だけ、前記「文分断可能位置」が成立する。また、例えば、項目符号９〜１１において、「接置詞データ表」を獲得すると、読み取りを続ける。「名詞接頭辞データ表」、「関係代名詞データ表」や「分詞データ表（分詞（Ｖｅｄ）と分詞（Ｖｉｎｇ）を含む）」を獲得すると、文分断条件が成立し（即ち、「○」で表示する）、前記「接置詞データ表」の位置で文分断位置とする（即ち、「●」で表示する）。
【００３４】
以下、前記品詞データ表の前記品詞文分断ルールにより、「a circuit board provided with an edge extending in a longitudinal direction;」という文が分断される文とされ、請求項要素名詞１１２２を獲得する例として以下のように説明する。
（１）「[a]circuit board provided with an edge extending in a longitudinal direction;」を読み取ると、「[]」における文字が読み取られた文字であり、この「a」という名詞が「名詞接頭辞データ表」に属するので、３列目中列の頭に「１」が標示された列に示すように、読み取りを続ける。
（２）続いて、「a [circuit] board provided with an edge extending in a longitudinal direction;」を読み取り、この「circuit」がいずれのデータ表に属しないので、読み取りを続ける。
（３）続いて、「a circuit [board] provided with an edge extending in a longitudinal direction;」を読み取り、この「board」がいずれのデータ表に属しないので、読み取りを続ける。
（４）続いて、「a circuit board [provided] with an edge extending in a longitudinal direction;」を読み取り、この「provided」が分詞（Ｖｅｄ）データ表に属し、即ち、動詞の後に接して「ed」があり、このため、前記品詞分断ルールにより、項目符号「４」〜「８」である列の処理を考慮し、文分断可能位置として前記「provided」で「●」を標示し、読み取りを続いて前記文分断可能位置が成立するかどうかを決める。
（５）続いて、「a circuit board provided [with] an edge extending in a longitudinal direction;」を読み取り、この「with」が接置詞データ表に属するので、前記品詞分断ルールにより、項目符号「４」である列の処理（即ち、接置詞データ表のところに「○」が標示される）を選択し、該当列の処理は前記分詞の文分断可能位置が「成立」であることを表し、前記分詞で文分断とするべきで、前記文分断位置の前の部分、即ち、「circuit board」を、獲得する要素名詞として、読み取りを続ける。
（６）続いて、「a circuit board provided with [an] edge extending in a longitudinal direction;」を読み取り、この「an」が「名詞接頭辞データ表」に属し、読み取りを続ける。
（７）続いて、「a circuit board provided with an [edge] extending in a longitudinal direction;」を読み取り、この「edge」がいずれのデータ表に属しないので、読み取りを続ける。
（８）続いて、「a circuit board provided with an edge [extending] in a longitudinal direction;」を読み取り、この「extending」が分詞（Ｖｉｎｇ）データ表に属し、「extending」で「●」を標示し、読み取りを続いて前記文分断可能位置が成立するかどうかを決める。この時、その後に接続する文字を判断する必要がある。
（９）続いて、「a circuit board provided with an edge extending [in] a longitudinal direction;」を読み取り、この「in」が接置詞データ表に属し、項目符号「４」である列に属し、即ち、接置詞データ表のところに「○」が標示され、該当列の処理は前記分詞の文分断可能位置が「成立」であることを表し、前記分詞で文分断とするべきで、前記文分断位置の前の部分、即ち、「an edge」を、獲得する要素名詞として、読み取りを続ける。
（１０）続いて、「a circuit board provided with an edge extending in [a] longitudinal direction;」を読み取り、この「a」が「名詞接頭辞データ表」に属し、読み取りを続ける。
（１１）続いて、「a circuit board provided with an edge extending in a [longitudinal] direction;」を読み取り、この「longitudinal」がいずれのデータ表に属しないので、読み取りを続ける。
（１２）続いて、「a circuit board provided with an edge extending in a longitudinal [direction];」を読み取り、この「direction」がいずれのデータ表に属しないので、読み取りを続ける。
（１３）続いて、「a circuit board provided with an edge extending in a longitudinal direction[;]」を読み取り、その「；」が句読点であり、前記符号文分断データ表に属するので、文分断を直接的に執行でき、獲得する要素名詞として、要素名詞である「a longitudinal direction」を獲得する。
【００３５】
この時、獲得された要素名詞は、以下[ ]の中で示される。
「[a circuit board] provided with [an edge] extending in [a longitudinal direction];」。
【００３６】
請求項要素名詞１１２２を獲得して、その請求項要素名詞１１２２の間に接続する部分を、請求項接続関係１１２３とする。
【００３７】
前記請求項内容１１２「[a circuit board] provided with [an edge] extending in [a longitudinal direction];」を例として、各請求項要素名詞１１２２の間にいる言葉を請求項接続関係１１２３とする。例えば、「an circuit board」と「an edge」の間の「provided with」、「an edge」と「a longitudinal direction」の間の「extending in」を請求項接続関係１１２３とする。
【００３８】
以下、請求項構造図面１０２を獲得することについて説明する。図８に示すように、請求項内容１１２には複数のブロックＳがあり、各ブロックＳが、所属するブロック内容Ｃ、及び各前記ブロック内容Ｃに対応するブロック階層値Ｌを有する。例えば、先行詞部分（ブロックＳ０）が、請求項内容１１２の冒頭であり、「A multi-station robotic welding assembly, comprising:」というブロック内容Ｃ０を有し、このため、ブロック内容Ｃ０に対応するブロック階層値Ｌ０が０である。ブロックＳ１について、「a mounting platform;」というブロック内容Ｃ１を有し、且つ、本明細書において、ブロックＳ０とブロックＳ１の間を階層的に表示する（ブロックＳ１をブロックＳ０の次の階層に位置させる）ので、ブロック内容Ｃ１に所属するブロック階層値Ｌ１が１である。詳細を申すと、ＨＴＭＬフォームのファイルにおいて、「<div>」及び「</div>」で各ブロックを分隔する。この例において、以下のようなフォームがある。「
<div> A multi-station robotic welding assembly, comprising:
<div> a mounting platform; </div>
<div> a plurality of robots attached to said mounting platform and located in respective weld stations, each of said robots comprising an elongated movable arm and wrist; </div>……（後略）」。
【００３９】
請求項構造図面１０２を獲得する過程において、上述の「<div>」及び「</div>」によって第１ブロックＳ０、第２ブロックＳ１、及び第３ブロックＳ２を階層的に分隔する。このため、請求項内容１１２を読み取る際に、「<div>」及び「</div>」により、各ブロック内容Ｃに対応するブロック階層値Ｌを獲得するので、ブロック内容Ｃ１に所属するブロック階層値Ｌ１が１である。同じく、ブロックＳ２について、「a plurality of robots attached to said mounting platform and located in respective weld stations, each of said robots comprising an elongated movable arm and wrist;」というブロック内容Ｃ２があり、且つ、ブロックＳ１の最後尾に「</div>」があるので、ブロックＳ２に所属するブロック階層値Ｌ２が１である。つまり、「<div>」及び「</div>」の出現位置により、各ブロック内容Ｃに所属するブロック階層値Ｌを獲得できる。
【００４０】
各ブロックＳのブロック内容Ｃ及びブロック内容Ｃに所属するブロック階層値Ｌを獲得した後、続けて前述の請求項要素名詞１１２２の方法によって、各ブロック内容Ｃにおける請求項要素名詞１１２２及び請求項接続関係１１２３を獲得する。
【００４１】
図８に示すように、請求項要素名詞１１２２及び請求項接続関係１１２３を獲得した後、請求項内容１１２における各ブロック内容Ｃ（例えば、Ｃ０、Ｃ１、及びＣ２）に所属する分段Ｔ（例えば、Ｃ０が２つの分段Ｔ０、Ｔ１を有し、Ｃ１が１つの分段Ｔ０を有し、Ｃ２が２つの分段Ｔ０、Ｔ１を有する）の分段内容Ｎ（Ｎ０、Ｎ１、即ち、各分段Ｔが１つの分段内容Ｎを有する）。それは、各ブロック内容Ｃを解体して１つや複数の分段内容Ｎを獲得し、各分段内容Ｎ（例えば、「A multi-station robotic welding assembly」）が分段資料内容Ｎ０１（即ち、“A multi-station robotic welding assembly”）及び分段資料内容所属階層値Ｎ０２を含み、（“A multi-station robotic welding assembly”, 0）という結果を獲得でき、また、「, comprising:」）が分段資料内容Ｎ０１（即ち、“ , comprising:”） 及び分段資料内容所属階層値Ｎ０２（即ち、１）を含み、（“, comprising:”, 1）という結果が獲得できる。前記分段資料内容Ｎ０１が請求項要素名詞１１２２且つ／或は請求項接続関係１１２３の組合せである。
【００４２】
図８を例として、３つのブロックＳがあり、ブロックＳ０、ブロックＳ１、及びブロックＳ２に分けられる。いずれのブロックＳも１つのブロック内容Ｃを有する。例えば、ブロックＳ０が「A multi-station robotic welding assembly, comprising:」というブロック内容Ｃ０を有する。ブロックＳ１が「a mounting platform;」というブロック内容Ｃ１を有する。ブロックＳ２が「a plurality of robots attached to said mounting platform and located in respective weld stations, each of said robots comprising an elongated movable arm and wrist;」というブロック内容Ｃ２を有する。以下、ブロックＳ２を例として説明する。
＊ブロックＳ２のブロック内容Ｃ２が「a plurality of robots attached to said mounting platform and located in respective weld stations, each of said robots comprising an elongated movable arm and wrist;」である。「最初の請求項要素名詞１１２２が独立に存在すること」及び「１つの請求項接続関係１１２３の後に１つの請求項要素名詞１１２２があること」を原則として、「特定な請求項接続関係１１２３（例えば、従属接続関係、即ち、『comprising』及び『and』）を前１つの請求項要素名詞１１２２に上げる」という他のサブルールを加えることによって、ブロック内容Ｃ２を複数の分段Ｔ０（「a plurality of robots」）、Ｔ１（「attached to said mounting platform and」）、Ｔ２（「located in respective weld stations,」）、Ｔ３（「each of said robots comprising」）、Ｔ４（「an elongated movable arm」）、及びＴ５（「and wrist;」）に分隔する。
【００４３】
更に、分段Ｔ（Ｔ０、Ｔ１、Ｔ２、Ｔ３、Ｔ４、及びＴ５）に対してそれぞれの分段内容Ｎ（いずれの分段Ｔも１つの分段内容Ｎを有する）を獲得する。分段内容Ｎが分段資料内容Ｎ０１及び分段資料内容所属階層値Ｎ０２を有する。例えば、いずれの分段Ｔ０、Ｔ１、Ｔ２、Ｔ３、Ｔ４、及びＴ５が持つ分段内容Ｎ０、Ｎ１、Ｎ２、Ｎ３、Ｎ４、及びＮ５は、分段資料内容Ｎ０１と分段資料内容所属階層値Ｎ０２の組合であり、それぞれＮ０（「{“a plurality of robots”, 0 }」）、Ｎ１（「{“attached to”, “said mounting platform”, 1 }」）、Ｎ２（「{“and located in”, “respective weld stations,”, 1 }」）、Ｎ３（「{“each of said robots”, “comprising”,  0 }」）、Ｎ４（「{“an elongated movable arm”, 1 }」）、及びＮ５（「{“and”, “wrist; ” , 1 }」）である。その内、Ｎ０における「a plurality of robots」が分段資料内容Ｎ０１であり、「０」が分段資料内容所属階層値Ｎ０２である。Ｎ１における「attached to」及び「said mounting platform」が分段資料内容Ｎ０１であり、「１」が分段資料内容所属階層値Ｎ０２である。Ｎ２における「and located in」及び「respective weld stations,」が分段資料内容Ｎ０１であり、「１」が分段資料内容所属階層値Ｎ０２である。Ｎ３における「each of said robots」及び「comprising」が分段資料内容Ｎ０１であり、「０」が分段資料内容所属階層値Ｎ０２である。Ｎ４における「an elongated movable arm」が分段資料内容Ｎ０１であり、「１」が分段資料内容所属階層値Ｎ０２である。また、Ｎ５における「and」及び「wrist;」が分段資料内容Ｎ０１であり、「１」が分段資料内容所属階層値Ｎ０２である。前記分段資料内容Ｎ０１が請求項要素名詞１１２２且つ請求項接続関係１１２３の組合せである。即ち、「《 [ {“a plurality of robots”, 0 } , {“attached to”, “said mounting platform”, 1 } , {“and located in”, “respective weld stations,”, 1 } , {“each of said robots”, “comprising”,  0 } , {“an elongated movable arm”, 1 } , {“and”, “wrist; ” , 1 } ] , 1》」。
【００４４】
分段資料内容所属階層値Ｎ０２の獲得には、「一般的に分段と伴って１を加える」という原則によって行われるが、従属性質である請求項接続関係１１２３（例えば、「comprising、and」）や「comprising」と「and」の間に挟まれた場合（例えば、Ｎ４及びＮ５が従属関係である）やマッチング性質（例えば、Ｎ２における「and」がＮ１とマッチングする）がある場合、第１の分段だけに１を加え、第１の分段以後が第１の分段と同じ数値に維持する（即ち、第２の分段から１を加えない）。なお、「wherein」と遭遇する際に、該当分段資料内容所属階層値Ｎ０２が０になる。ブロックＳを複数の分段Ｔに分解することによって、各分段Ｔの順序により、各分段Ｔから分段内容を獲得し、いずれの分段内容もそれぞれ所属する分段資料内容Ｎ０１及び分段資料内容所属階層値Ｎ０２を有する。各分段Ｔ及び分段内容Ｎを獲得した後、それらの分段内容Ｎを順次に組み合わされ、ブロック内容とブロック階層決定装置によるブロック階層値Ｌを加えて、記録ファイルを獲得する。
【００４５】
そして、ブロックＳ０から順次にブロックＳ１、ブロックＳ２の内容を獲得し、それらを記録ファイルに記録する。次に、その記録ファイルから請求項構造図面１０２を形成する。
【００４６】
図７に示すように、まず、ブロックＳ０のブロック内容（《 [ {”a multi-station robotic welding assembly”, “comprising,”, 0 } ] , 0》）に対して結節点Ｎｏｄｅ００を作り、次に、従属関係の請求項接続関係１１２３を見つけてもう１つの結節点Ｎｏｄｅ００１を作り、結節点Ｎｏｄｅ００から結節点Ｎｏｄｅ００１までの連接線Ｌ００を作り、その方向が結節点Ｎｏｄｅ００から結節点Ｎｏｄｅ００１までである。
【００４７】
次に、ブロックＳ１に対して判断を行い、ブロックＳ１のブロック内容は「《 [ {“a mounting platform;”, 0 } ] , 0》」である。
【００４８】
該当ブロックＳ１のブロック階層値が０であり、「a」が冒頭である請求項要素名詞１１２２で始めとして、従属関係には「the、said、wherein」が冒頭であるブロックが出現しないので、前に向かって１番近いブロックにおけるブロック階層が現在のブロックのブロック階層値Ｌから１を減るブロックを探し、そのブロックの最後尾が請求項接続関係１１２３（「comprising」）であるかどうかを判断し、全ての条件に符合することに判断すると、獲得した請求項接続関係１１２３（「comprising」）（即ち、結節点Ｎｏｄｅ００１）を開始点として、１番目の分段資料内容「a mounting platform;」を取り出し、これにより、結節点Ｎｏｄｅ１０を作り、その１番目の分段資料内容「a mounting platform;」を結節点Ｎｏｄｅ１０に書き込み、この時、「platform」の後のセミコロン（「;」）を獲得して該当ブロックＳ１が終わることが判明し、新しいブロックの判断を行う。
【００４９】
次に、ブロックＳ２の書き込みを行い、ブロックＳ２のブロック内容は「《 [ {“a plurality of robots”, 0 } , {“attached to”, “said mounting platform”, 1 } , {“and located in”, “respective weld stations,”, 1 } , {“each of said robots”, “comprising”,  0 } , {“an elongated movable arm”, 1 } , {“and”, “wrist; ” , 1 } ] , 1》」である。
【００５０】
まず、ブロック階層値が１（即ち、表における最末端の１）であることを判断し、「a」が冒頭である請求項要素名詞１１２２で始めとして、従属関係には「the、said、wherein」が冒頭であるブロックが出現しないので、前に向かって１番近いブロックにおけるブロック階層が現在のブロックのブロック階層値Ｌから１を減るブロックを探し、そのブロックの最後尾が請求項接続関係１１２３（「comprising」）であるかどうかを判断し、全ての条件に符合することを判断すると、獲得した請求項接続関係１１２３（「comprising」）（即ち、結節点Ｎｏｄｅ００１）を開始点として、１番目の分段内容Ｎ０における分段資料内容「a plurality of robots」で結節点Ｎｏｄｅ１１を作り、その分段資料内容「a plurality of robots」を結節点Ｎｏｄｅ１１に書き込み、結節点Ｎｏｄｅ１１を目標点として連接線Ｌ０２を獲得する。
【００５１】
次に、２番目の分段内容Ｎ１「{“attached to”, “said mounting platform”, 1 }」に対して執行を行い、まず、分段資料内容所属階層値が１であることを読み取り、前の分段の分段資料内容所属階層値から１を加えることが判断され、前の分段の次の分段であることを表するので、前の分段を連接線の開始点として、該当分段資料内容における請求項要素名詞１１２２が既に存在するかどうかを判断し、判断したところ、結節点Ｎｏｄｅ１０として存在するので、連接線の目標点を結節点Ｎｏｄｅ１０と決め、連接線Ｌ１１を獲得し、結節点Ｎｏｄｅ１１と結節点Ｎｏｄｅ１０の間に接続し、該当分段資料内容における請求項接続関係１１２３（「attached to」）を連接線Ｌ１１に書き込み、第１の色を付け、開始点から目標点への方向を連接線Ｌ１１の方向標示とする。
【００５２】
次に、３番目の分段内容「{“and located in”, “respective weld stations,”, 1 }」に対して執行を行う。まず、分段資料内容所属階層値が１であることを読み取り、判断したところ、前の分段の分段資料内容所属階層値と同様であるので、前１のブロックのマッチング関係（matching relationship）と判断し、前１のブロックの請求項要素名詞１１２２で始めとされず、１番近い分段資料内容所属階層値が現有の分段資料内容所属階層値から１減ることを有する分段を開始点とするので、結節点Ｎｏｄｅ１１として、前に向かって分段資料内容所属階層値が０である分段の請求項要素名詞１１２２の結節点を探し出させ、結節点Ｎｏｄｅ１１を開始点として、該当分段資料内容における請求項要素名詞１１２２が既に存在するかどうかを判断し、判断したところ、存在しないので、該当請求項要素名詞１１２２の結節点Ｎｏｄｅ２０を作り、結節点Ｎｏｄｅ２０で目標点として、連接線Ｌ１０を獲得し、結節点Ｎｏｄｅ１１と結節点Ｎｏｄｅ２０の間に接続し、第１の色を付け、開始点から目標点への方向を連接線Ｌ１１の方向標示とする。
【００５３】
次に、４番目の分段内容「{“each of said robots”, “comprising”,  0 }」に対して執行を行う。まず、該当分段資料内容「each of said robots」における「 said robots」が、「robot」出現したことがあると示すので、「robot」の結節点を探し出させて結節点Ｎｏｄｅ１１を獲得し、結節点Ｎｏｄｅ１１で連接線Ｌ２０の開始点として、該当分段の分段資料（ここでは、「comprising」である）を獲得し、「comprising」の特殊性により、その「comprising」の結節点Ｎｏｄｅ１１を作り、連接線Ｌ２０の目標点として連接線Ｌ２０を獲得し、標示方向と色を付ける。
【００５４】
次に、５番目の分段内容「{“an elongated movable arm”, 1 }」について、そのブロック階層値が１であり、「a」が冒頭である請求項要素名詞１１２２を始めとして、従属関係には「the、said、wherein」が冒頭であるブロックが出現しないので、前に向かって１番近いブロックにおけるブロック階層が現在のブロックのブロック階層値Ｌから１減るブロック（４番目の分段）を探し、そのブロックの最後尾が請求項接続関係１１２３（「comprising」）であるかどうかを判断し、全ての条件に符合することを判断すると、４番目の分段の請求項接続関係１１２３（「comprising」）（即ち、結節点Ｎｏｄｅ１１１）を開始点として、１番目の分段資料内容「an elongated movable arm」を取り出し、これにより、結節点Ｎｏｄｅ２１を作り、その１番目の分段資料内容「an elongated movable arm」を結節点Ｎｏｄｅ２１に書き込み、その結節点Ｎｏｄｅ２１を目標点として接続線Ｌ２１を獲得し、続ける。
【００５５】
次に、６番目の分段内容「{“and”, “wrist;” , 1 } ] , 1》」について、そのブロック階層値が１であり、「and」が「the、said」ではない請求項要素名詞１１２２と接続して始めとして、従属関係には「the、said、wherein」で冒頭とする分段が出現しないので、前に向かって１番近いブロックにおけるブロック階層が現在のブロックのブロック階層値Ｌから１減るブロック（５番目の分段）を探し、そのブロックの最後尾が請求項接続関係１１２３（「comprising」）であるかどうかを判断し、全ての条件に符合することを判断すると、５番目の分段の請求項接続関係１１２３（「comprising」）（即ち、結節点Ｎｏｄｅ１１１）を開始点として、「and」を含まれない分段資料（即ち、「wrist;」）を取り出し、これにより、結節点Ｎｏｄｅ２２を作り、その分段資料内容「wrist;」を結節点Ｎｏｄｅ２２に書き込み、その結節点Ｎｏｄｅ２２を目標点として接続線Ｌ２２を獲得し、この時、「wrist」の後のセミコロン（「;」）を獲得して該当ブロックが終わることが判明するので、新しいブロックの判断を行う。
【００５６】
このような方法により、図７のような請求項構造図面１０２が獲得でき、請求項構造図面１０２が構造化階層と階層相対位置関係を有する。
【００５７】
図４に示すように、請求項内容１１２から請求項要素名詞１１２２（即ち、rotatable fixture base）を獲得した後に、その請求項要素名詞１１２２（即ち、rotatable fixture base）によって明細書内容１１３からその請求項要素名詞１１２２（即ち、rotatable fixture base）に対応する明細書要素名詞１１３３（即ち、rotatable fixture base）を獲得し、該当明細書要素名詞１１３３（即ち、rotatable fixture base）の後に接続する要素符号（即ち、１８）を獲得して図面１１１１の図面要素符号１０１２として、該当明細書要素名詞１１３３を図面の図面対応要素名詞１０１３として、図面要素符号１０１２且つ／或は図面対応要素名詞１０１３が図面１１１１に対応するガイドターゲット１２１とすることができ、これにより、図面１１１１のガイドターゲット１２１を獲得できる。この時、ガイドターゲット［図面要素符号１０１２（即ち、１８）且つ／或は図面対応要素名詞１０１３（即ち、rotatable fixture base）］の明細書要素符号１１３２（即ち、１８）に対応するガイドターゲット明細書要素符号対応関係Ｒ１も獲得し、ガイドターゲット明細書要素符号対応関係Ｒ１によって、ガイドターゲット１２１の請求項要素名詞１１２２に対応する図面請求項対応関係Ｒ２を獲得する。これにより、特許閲覧者がガイドターゲット１２１（図面１０１１には、図面要素符号１０１２であり、例えば、１１。請求項構造図面１０２には、構成要素名詞１０２１、接続関係１０２２、構造図面要素符号１０２３である）を選択する際に、ガイドターゲット請求項内容１１２１を獲得する。
【００５８】
図４に示すように、請求項内容１１２から請求項要素名詞１１２２（即ち、rotatable fixture base）を獲得した後、その請求項要素名詞１１２２（即ち、rotatable fixture base）によって明細書内容１１３からその請求項要素名詞１１２２（即ち、rotatable fixture base）に対応する明細書要素名詞１１３３（即ち、rotatable fixture base）を獲得し、該当明細書要素名詞１１３３（即ち、rotatable fixture base）の後に接続する要素符号を獲得して明細書要素符号１１３２（即ち、１８）とする。明細書内容１１３から明細書要素符号１１３２（即ち、１８）を獲得した後、明細書要素符号１１３２（即ち、１８）によって図面１０１１から明細書要素符号１１３２（即ち、１８）に対応する図面要素符号１０１２（即ち、１８）を獲得し、つまり、ガイドターゲット１２１と明細書要素符号１１３２の間のガイドターゲット明細書要素符号対応関係Ｒ１を獲得し、ガイドターゲット明細書要素符号対応関係Ｒ１によって、ガイドターゲット１２１の請求項要素名詞１１２２に対応する図面請求項対応関係Ｒ２を獲得する。これにより、特許閲覧者がガイドターゲット１２１（図面１０１１には、図面要素符号１０１２であり、例えば、１１。請求項構造図面１０２には、構成要素名詞１０２１、接続関係１０２２、構造図面要素符号１０２３である）を選択する際に、ガイドターゲット請求項内容１１２１を獲得する。
【００５９】
図５に示すように、前記ガイドターゲット請求項内容１１２１の獲得は、前記図面資料１２が前記請求項構造図面１０２である際に、前記プロセッサによって、前記請求項構造図面１０２の前記ガイドターゲット１２１（構成要素名詞１０２１且つ／或は接続関係１０２２且つ／或は構造図面要素符号１０２３である）により、前記請求項内容１１２から対応する前記ガイドターゲット請求項内容１１２１を獲得する。
【００６０】
図５に示すように、前記ガイドターゲット請求項内容１１２１の獲得は、前記図面資料１２が前記請求項構造図面１０２である際に、前記プロセッサによって、前記請求項構造図面１０２の前記ガイドターゲット１２１（構成要素名詞１０２１且つ／或は接続関係１０２２且つ／或は構造図面要素符号１０２３である）により、前記請求項内容１１２から対応する前記ガイドターゲット請求項内容１１２１を獲得する。
【００６１】
図４に示すように、前記ガイドターゲット明細書内容１１３１の獲得は、前記図面資料１２が前記図面１０１１である際に、前記プロセッサによって、前記ガイドターゲット１２１（この時、前記ガイドターゲット要素符号１２１１である）と前記明細書要素符号１１３２の間の前記ガイドターゲット明細書要素符号対応関係Ｒ１により獲得する。
【００６２】
前記ガイドターゲット明細書内容１１３１の獲得は、前記図面資料１２が前記請求項構造図面１０２である際に、前記プロセッサによって、前記請求項構造図面１０２の前記ガイドターゲット１２１（構成要素名詞１０２１且つ／或は接続関係１０２２且つ／或は構造図面要素符号１０２３である）により前記明細書内容から対応する前記ガイドターゲット明細書内容１１３１を獲得する。
【００６３】
図３、５に示すように、前記ガイドターゲット図面内容１１４１の獲得は、前記図面資料１２が前記請求項構造図面１０２である際に、前記プロセッサによって、前記請求項構造図面１０２の前記ガイドターゲット１２１（構成要素名詞１０２１且つ／或は接続関係１０２２且つ／或は構造図面要素符号１０２３である）により、構成要素名詞１０２１且つ／或は前記構造図面要素符号１０２３に対応する前記明細書要素符号１１３２を獲得し、明細書内容１１３から前記明細書要素符号１１３２に対応する対応図号１１３４を獲得し、前記対応図号１１３４で前記図号１１３４に対応する前記ガイド内容１３を獲得する（即ち、前記ガイドターゲット図面内容１１４１を獲得する）。前記対応図号１１３４の獲得は、図５に示すように、明細書内容１１３において、明細書要素符号１１３２（例えば、１０、assemblyを示す明細書要素名詞１１３３）にあるブロックについて、図１〜３の記述（即ち、… is illustrated in FIGS. 1-3, …）があるので、前記明細書要素符号１１３２の対応図号１１３４は図１、図２、及び図３がある。これにより、各図面に対応する前記明細書要素符号１１３２を獲得する。
【００６４】
前記ガイドターゲット１２１が図面要素符号１０１２であることの獲得は、前記図面資料１２が前記図面１０１１である際に、前記プロセッサによって、各図面が所有する図面数をスキャンし、「図面の簡単な説明」からその特許書類が所有する図面数を獲得して、各図面に対応する図面符号を指定して、前記図面符号が前記明細書内容にあるブロック位置が持つ前記明細書要素符号１１３２を前記ガイドターゲット１２１の前記図面要素符号１０１２として、前記図面要素符号１０１２を獲得する。
【００６５】
図４、５に示すように、本発明に係る１つの実施例の特許書類図面資料ガイド内容自動獲得表示設備１により、前記ガイド内容１３が、例えば、ハイライト、アンダーラインやいずれのマークを付ける方法などの標記の方法で、特許書類内容１１に表示される。
【００６６】
図４に示すように、本発明に係る１つの実施例の特許書類図面資料ガイド内容自動獲得表示設備１により、前記図面資料１２が前記図面１０１１である際に、前記図面１０１１の前記図面要素符号１０１２及び前記図面要素符号１０１２が対応する前記請求項要素名詞を表示する。
【００６７】
図１、４に示すように、本発明に係る１つの実施例の特許書類図面資料ガイド内容自動獲得表示設備１により、前記ガイド内容表示モジュールが、使用者が前記ガイドターゲット１２１を選択して前記ガイドターゲット１２１の前記ガイド内容１３が表示されるためのガイド内容選択インターフェース２３１１を提供するガイド内容選択サブ装置２３１を有する。
【００６８】
図４、５に示すように、本発明に係る１つの実施例の特許書類図面資料ガイド内容自動獲得表示設備１により、前記ガイドターゲットの前記明細書内容１１３が、前記ガイドターゲット１２１に対応されないブロックが表示されずに、前記ガイドターゲット１２１に対応するブロックだけを表示する。即ち、このような方法で明細書内容を簡潔に表示する。
【００６９】
図４、５に示すように、本発明に係る１つの実施例の特許書類図面資料ガイド内容自動獲得表示設備１により、前記図面資料１２が前記図面１０１１である際に、前記図面内容１０１における図面１０１１が持つ前記請求項要素名詞１１２２の数により、前記図面１０１１を順番に表示する。即ち、各図面１０１１が持つ前記請求項要素名詞１１２２の数を統計することによって、複数の図面を順列させ、１番多い請求項要素名詞１１２２がある図面１０１１を優先に表示する。
【００７０】
図４、５に示すように、本発明に係る１つの実施例の特許書類図面資料ガイド内容自動獲得表示設備１により、前記図面資料１２及び前記ガイドターゲット１２１に対応する前記ガイド内容１３が、１つの画面に同時に表示される。
【００７１】
図４に示すように、前記請求項内容１１２における前記請求項要素名詞１１２２且つ／或は請求項要素符号１１２２’を前記ガイドターゲット１２１として、前記ガイド内容表示装置２３でスクリーンに表示し、特許閲覧者が前記ガイドターゲット１２１を選択することによって前記ガイドターゲット１２１に対応する前記図面１０１１を表示させ、前記図面１０１１の前記図面要素符号１０１２及び前記図面対応要素名詞１０１３をスクリーンに表示させ、前記図面要素符号１０１２及び前記図面対応要素名詞１０１３を前記ガイドターゲット１２１とし、特許閲覧者が再び前記図面要素符号１０１２や前記図面対応要素名詞１０１３を選択してもう１回のガイド操作を行える。特には、前記ガイドターゲット１２１とされる前記請求項要素名詞１１２２且つ／或は請求項要素符号１１２２’が選択された後、本発明は、前記請求項要素名詞１１２２且つ／或は請求項要素符号１１２２’に対応する全部の図面１０１１を獲得する。これにより、特許閲覧者にとって、前記図面１０１１、前記請求項構造図面１０２、及び前記請求項内容１１２（特に、ガイドターゲット請求項内容１１２１に）の間、ガイドを繰り返すことができる。
【００７２】
なお、本発明は、上記実施形態に限定されるものではない。上記実施形態は例示であり、本発明の特許請求の範囲に記載された技術的思想と実質的に同一な構成を有し、同様な作用効果を奏するものは、いかなるものであっても本発明の技術的範囲に包含される。
【符号の説明】
【００７３】
１…特許書類図面資料ガイド内容自動獲得表示設備、  １１…特許書類内容、
１２…図面資料、  １３…ガイド内容、  ２１…図面資料ガイド内容獲得装置、
２２…図面資料表示装置、  ２３…ガイド内容表示装置、
１０２…請求項構造図面、  １１１…図面内容、  １１２…請求項内容、
１１３…明細書内容、  １２１…ガイドターゲット、
２３１…ガイド内容選択サブ装置、  １０１２…図面要素符号、
１０１３…図面対応要素名詞、  １０２１…構成要素名詞、  １０２２…接続関係、
１０２３…構造図面要素符号、  １１１１…図面、
１１２１…ガイドターゲット請求項内容、  １１２２…請求項要素名詞、
１１２２’…請求項要素符号、
１１２３…請求項接続関係、  １１３１…ガイドターゲット明細書内容、
１１３２…明細書要素符号、  １１３４…図号、
１１４１…ガイドターゲット図面内容、  １２１１…ガイドターゲット要素符号、
２３１１…ガイド内容選択インターフェース、
Ｒ１…ガイドターゲット明細書要素符号対応関係、  Ｒ２…図面請求項対応関係、
Ｓ…ブロック。
【図１】
2020068011.tif 000003
【図２】
2020068011.tif 000004
【図３】
2020068011.tif 000005
【図４】
2020068011.tif 000006
【図５】
2020068011.tif 000007
【図６】
2020068011.tif 000008
【図７】
2020068011.tif 000009
【図８】
2020068011.tif 000010